(57)【要約】【課題】機器の制御値を所定のスケジュールに従って切り替えることができるようにする。【解決手段】所定の切替時刻に合わせて、選定したスケジュール定義論理ノードがデータオブジェクトとして保持している制御値について制御論理ノードが保持しているデータオブジェクトの値に設定する制御値を切り替えたり、或いは、現在時刻において実行対象のスケジュール定義論理ノードを新たに選定した上で当該新たに選定したスケジュール定義論理ノードがデータオブジェクトとして保持している制御値を制御論理ノードが保持しているデータオブジェクトの値に設定したりするようにした。【選択図】図１
2019103301.tif 000002
【特許請求の範囲】
【請求項１】
機器の制御項目に対応するデータオブジェクトを保持する制御論理ノードの前記データオブジェクトのうち制御値の切り替えの対象になっている前記データオブジェクトに対応して用意されるスケジュール制御論理ノードが、当該スケジュール制御論理ノードの管理下にあるスケジュール定義論理ノードのうち現在時刻において実行対象のスケジュール定義論理ノードを選定するステップと、当該選定したスケジュール定義論理ノードがデータオブジェクトとして保持している制御値を前記制御論理ノードが保持している前記データオブジェクトの値に設定するステップと、当該制御論理ノードが保持している前記データオブジェクトの値に設定した前記制御値の切替時刻を前記選定したスケジュール定義論理ノードが保持している前記データオブジェクトの設定内容に基づいて特定するステップと、当該特定した切替時刻に合わせて、前記選定したスケジュール定義論理ノードが前記データオブジェクトとして保持している前記制御値について前記制御論理ノードが保持している前記データオブジェクトの値に設定する制御値を切り替えたり、或いは、前記現在時刻において実行対象のスケジュール定義論理ノードを新たに選定した上で当該新たに選定したスケジュール定義論理ノードが前記データオブジェクトとして保持している制御値を前記制御論理ノードが保持している前記データオブジェクトの値に設定したりするステップとを有することを特徴とする機器の制御値の切替方法。
【請求項２】
前記スケジュール制御論理ノードが、前記現在時刻において前記実行対象のスケジュール定義論理ノードを選定する際に、前記現在時刻において実行対象になり得るスケジュール定義論理ノードが複数存在するとき、これらスケジュール定義論理ノードが前記データオブジェクトとして保持している優先度が高い方のスケジュール定義論理ノードを選定することを特徴とする請求項１記載の機器の制御値の切替方法。
【請求項３】
前記制御論理ノードがＩＥＣ ６１８５０において規定されている ATCC であることを特徴とする請求項１または２記載の機器の制御値の切替方法。
【請求項４】
前記制御論理ノードが保持している前記データオブジェクトのうち前記制御値の切り替えの対象になっている前記データオブジェクトがＩＥＣ ６１８５０において規定されている BndCtr，BndWid，LDCR，及び LDCX のうちの少なくとも一つであることを特徴とする請求項１から３のうちのいずれか一つに記載の機器の制御値の切替方法。
【発明の詳細な説明】
【技術分野】
【０００１】
本発明は、機器の制御値の切替方法に関する。さらに詳述すると、本発明は、例えば配電系統における電圧調整器や変電所構内に設置されている負荷時タップ切換器の整定値のような種々の機器の制御値を切り替えるための技術に関する。
【背景技術】
【０００２】
送配電系統を構成する電路においては、当該電路中に設けられた電気所（変電所）などにおいて負荷時タップ切換付変圧器が設置され、電気所（変電所）から送出する電圧が調整される。配電用自動電圧調整器は、予め設定された目標電圧値（即ち、整定値）に基づいて負荷時タップ切換付変圧器におけるタップの切り換えを自動で制御することにより、電圧調整を行う（特許文献１）。
【０００３】
配電用自動電圧調整器（以下では、単に「電圧調整器」と表記する）に関連しては、変電所の統合やオートメーションに使用される通信ネットワークとシステムとに纏わる規格として国際標準規格であるＩＥＣ ６１８５０が定められている。ＩＥＣ ６１８５０では、変電所内通信プロトコルと変電所内の装置・機器が持つ情報のモデル（デバイスモデル）とが規定されている。
【先行技術文献】
【特許文献】
【０００４】
【特許文献１】特開２０１２−１７５８００号公報
【発明の概要】
【発明が解決しようとする課題】
【０００５】
しかしながら、電圧調整器の整定値に関して、ＩＥＣ ６１８５０では整定項目（別言すると、データオブジェクト）毎に一つの値（別言すると、基本とするデフォルトの値）しか保持することができず、所定のスケジュールや状況の変化に合わせて整定値を切り替えることについては定められていないという問題がある。このため、電圧調整器を柔軟にそして適切に運用することができないという問題がある。
【０００６】
そこで、本発明は、例えば電圧調整器の整定値などのような機器の制御値を所定のスケジュールに従って切り替えることができる機器の制御値の切替方法を提供することを目的とする。
【課題を解決するための手段】
【０００７】
かかる目的を達成するため、本発明の機器の制御値の切替方法は、機器の制御項目に対応するデータオブジェクトを保持する制御論理ノードの前記データオブジェクトのうち制御値の切り替えの対象になっているデータオブジェクトに対応して用意されるスケジュール制御論理ノードが、当該スケジュール制御論理ノードの管理下にあるスケジュール定義論理ノードのうち現在時刻において実行対象のスケジュール定義論理ノードを選定するステップと、当該選定したスケジュール定義論理ノードがデータオブジェクトとして保持している制御値を制御論理ノードが保持しているデータオブジェクトの値に設定するステップと、当該制御論理ノードが保持しているデータオブジェクトの値に設定した制御値の切替時刻を前記選定したスケジュール定義論理ノードが保持しているデータオブジェクトの設定内容に基づいて特定するステップと、当該特定した切替時刻に合わせて、前記選定したスケジュール定義論理ノードがデータオブジェクトとして保持している制御値について制御論理ノードが保持しているデータオブジェクトの値に設定する制御値を切り替えたり、或いは、現在時刻において実行対象のスケジュール定義論理ノードを新たに選定した上で当該新たに選定したスケジュール定義論理ノードがデータオブジェクトとして保持している制御値を制御論理ノードが保持しているデータオブジェクトの値に設定したりするステップとを有するようにしている。
【０００８】
したがって、この機器の制御値の切替方法によると、機器の制御項目（別言すると、データオブジェクト）毎に所定のスケジュールや状況の変化に合わせて制御値が切り替えられるように制御される。
【０００９】
また、本発明の機器の制御値の切替方法は、スケジュール制御論理ノードが、現在時刻において実行対象のスケジュール定義論理ノードを選定する際に、現在時刻において実行対象になり得るスケジュール定義論理ノードが複数存在するとき、これらスケジュール定義論理ノードがデータオブジェクトとして保持している優先度が高い方のスケジュール定義論理ノードを選定するようにしても良い。この場合には、複数のスケジュール定義論理ノードそれぞれの優先度を考慮するようにしているので、データオブジェクトのそれぞれについて基本の制御値を使用しつつ、状況の変化などによって基本の制御値では対応が難しいことが想定される場合など特別の事情が存在する際には臨時の制御値を優先的に使用するように、所定のスケジュールに従って制御値が切り替えられる。
【００１０】
また、本発明の機器の制御値の切替方法は、制御論理ノードがＩＥＣ ６１８５０において規定されている ATCC であるようにしても良い。この場合には、ＡＴＣＣが保持するデータオブジェクトの値が本発明によって切り替えられる。
【００１１】
また、本発明の機器の制御値の切替方法は、制御論理ノードが保持しているデータオブジェクトのうち制御値の切り替えの対象になっているデータオブジェクトがＩＥＣ ６１８５０において規定されている BndCtr，BndWid，LDCR，及び LDCX のうちの少なくとも一つであるようにしても良い。この場合には、制御論理ノードがデータオブジェクトとして保持する BndCtr，BndWid，LDCR，或いは LDCX の値が本発明によって切り替えられる。
【発明の効果】
【００１２】
本発明の機器の制御値の切替方法によれば、機器の制御項目（別言すると、データオブジェクト）毎に所定のスケジュールや状況の変化に合わせて制御値が切り替えられるように制御することができるので、機器を柔軟にそして適切に運用することが可能になり、延いては機器の運用の信頼性の向上が可能になる。
【００１３】
本発明の機器の制御値の切替方法は、スケジュール定義論理ノード毎の優先度が考慮されるようにした場合には、優先度によって区別される基本の制御値と臨時の制御値とを使い分けることができるので、機器を一層柔軟にそして一層適切に運用することが可能になり、延いては機器の運用の信頼性の一層の向上が可能になる。
【００１４】
本発明の機器の制御値の切替方法は、制御論理ノードが ATCC であるようにした場合には、ＡＴＣＣが保持するデータオブジェクトの値の制御において上述の作用効果を奏することが可能になる。
【００１５】
本発明の機器の制御値の切替方法は、制御論理ノードのデータオブジェクトが BndCtr，BndWid，LDCR，LDCX であるようにした場合には、制御論理ノードがデータオブジェクトとして保持する BndCtr，BndWid，LDCR，LDCX の値の制御において上述の作用効果を奏することが可能になる。
【図面の簡単な説明】
【００１６】
【図１】本発明に係る機器の制御値の切替方法の実施形態の一例を示すフローチャートである。
【図２】実施形態における各論理ノードやデータオブジェクトの関係を説明する概念図である。
【図３】デフォルト整定値を保持するＦＳＣＨのインスタンスのセットの一例を説明する概念図である。
【図４】図３に示すインスタンスのセットに対応する臨時整定値を保持するＦＳＣＨのインスタンスのセットの一例を説明する概念図である。
【図５】基準電圧の整定に関するデフォルト整定値を表すスケジュール定義論理ノードＦＳＣＨ，スケジュール制御論理ノードＦＳＣＣ，及びタップ切換制御論理ノードＡＴＣＣの一例を説明する概念図である。
【図６】「DataSet」とそれに対する通信メッセージを用いた整定値の設定の仕方を説明する概念図である。
【図７】一定周期で現れる指定日時に適用されるデフォルト整定値を保持するＦＳＣＨのインスタンスのセットの一例を説明する概念図である。
【図８】「ＳＧＣＢ」を用いたデフォルト整定値を保持するＦＳＣＨの値の切り替えの一例を説明する概念図である。
【発明を実施するための形態】
【００１７】
以下、本発明の構成を図面に示す実施の形態の一例に基づいて詳細に説明する。
【００１８】
図１乃至図６に、本発明に係る機器の制御値の切替方法の実施形態の一例を示す。
【００１９】
本実施形態では、本発明に係る機器の制御値の切替方法が、ＩＥＣ ６１８５０に準拠して構築された、電圧調整器の整定値の設定処理を含むシステムへと適用される場合を例に挙げて説明する。
【００２０】
本発明に係る機器の制御値の切替方法の一例としての本実施形態の電圧調整器の整定値の切替方法は、電圧調整器の整定項目に対応するデータオブジェクトを保持する制御論理ノードとしてのタップ切換制御論理ノードＡＴＣＣのデータオブジェクトのうち整定値の切り替えの対象になっているデータオブジェクトである BndCtr，BndWid，LDCR，LDCX のそれぞれに対応して用意されるスケジュール制御論理ノードＦＳＣＣ１乃至ＦＳＣＣ６が、当該スケジュール制御論理ノードＦＳＣＣ１乃至ＦＳＣＣ６の管理下にあるスケジュール定義論理ノードＦＳＣＨ１１等，９０１１等のうち現在時刻において実行対象のスケジュール定義論理ノードＦＳＣＨ１１等，９０１１等を選定するステップ（Ｓ１）と、当該選定したスケジュール定義論理ノードＦＳＣＨ１１等，９０１１等（のうちのいずれか）がデータオブジェクトとして保持している整定値ＶａｌＡＳＧ１乃至ＶａｌＡＳＧ６（のうちのいずれか）を制御論理ノードとしてのタップ切換制御論理ノードＡＴＣＣが保持しているデータオブジェクトである BndCtr，BndWid，LDCR，LDCX の値に設定するステップ（Ｓ２，Ｓ３）と、当該制御論理ノードとしてのタップ切換制御論理ノードＡＴＣＣが保持しているデータオブジェクトである BndCtr，BndWid，LDCR，LDCX の値に設定した整定値ＶａｌＡＳＧ１乃至ＶａｌＡＳＧ６（のうちのいずれか）の切替時刻を前記選定したスケジュール定義論理ノードＦＳＣＨ１１等，９０１１等（のうちのいずれか）が保持しているデータオブジェクトの設定内容に基づいて特定するステップ（Ｓ４）と、当該特定した切替時刻に合わせて、前記選定したスケジュール定義論理ノードＦＳＣＨ１１等，９０１１等（のうちのいずれか）がデータオブジェクトとして保持している整定値ＶａｌＡＳＧ１乃至ＶａｌＡＳＧ６について制御論理ノードとしてのタップ切換制御論理ノードＡＴＣＣが保持しているデータオブジェクトである BndCtr，BndWid，LDCR，LDCX の値に設定する整定値ＶａｌＡＳＧ１乃至ＶａｌＡＳＧ６を切り替えたり（Ｓ８→Ｓ３）、或いは、現在時刻において実行対象のスケジュール定義論理ノードＦＳＣＨ１１等，９０１１等を新たに選定した上で当該新たに選定したスケジュール定義論理ノードＦＳＣＨ１１等，９０１１等（のうちのいずれか）がデータオブジェクトとして保持している整定値ＶａｌＡＳＧ１乃至ＶａｌＡＳＧ６（のうちのいずれか）を制御論理ノードとしてのタップ切換制御論理ノードＡＴＣＣが保持しているデータオブジェクトである BndCtr，BndWid，LDCR，LDCX の値に設定したり（Ｓ６→Ｓ７，Ｓ８→Ｓ９）するステップとを有するようにしている。
【００２１】
（１）論理ノードについて
ＩＥＣ ６１８５０では、以下に示す二種類の論理ノード（logical node）が規定されている。論理ノードには機能に関連するデータが格納され（言い換えると、論理ノードは機能に関連するデータを保持し）、論理ノードのクラス名には四文字の標準化された名前が付けられる。
１）設備に関する情報を表わす論理ノード
具体的には例えば、回路遮断器を表す「ＸＣＢＲ」や変流器を表す「ＴＣＴＲ」などの論理ノードがある。
設備に関する情報を表わす論理ノードには、設備と変電所自動化システムとの間のインタフェースが規定される。
２）自動化機能に関する情報を表わす論理ノード
具体的には例えば、トリップ信号の送信を表す「ＰＴＲＣ」や電流差動の判定を表す「ＰＤＩＦ」などの論理ノードがある。
【００２２】
本発明の説明では、ＩＥＣ ６１８５０における論理ノード（logical node）と同様に取り扱われたり振る舞ったりするものを「論理ノード」と呼ぶ。
【００２３】
本発明の説明では、また、論理ノードにて定義された処理やデータが実行可能な形式（例えば、ソフトウェアなど）として具現化されたものを「インスタンス」と呼ぶ。
【００２４】
（２）論理ノード「ＡＴＣＣ」
本実施形態では、ＩＥＣ ６１８５０において規定されている、タップ切り換えの自動制御を担う論理ノードである「ＡＴＣＣ」（Ａutomatic Ｔap Ｃhanger Ｃontroller のこと）が制御論理ノード（即ち、スケジューリングの対象の論理ノード）として用いられる。
【００２５】
本実施形態では、また、ＩＥＣ ６１８５０において論理ノード（logical node）「ＡＴＣＣ」に対して定められている、電圧調整器に係る整定項目に対応する以下のデータオブジェクト（data object）が利用される。
−「BndCtr」：Band center voltage のことであり、基準電圧(の設定値)を表す。
−「BndWid」：Band width voltage のことであり、不感帯幅(の設定値)を表す。
−「LDCR」：Line drop voltage due to line resistance component のことであり、抵抗分補償(の設定値)を表す。
−「LDCX」：Line drop voltage due to line reactance component のことであり、リアクタンス分補償(の設定値)を表す。
なお、上記四つのデータオブジェクトの共通データクラス（common data class）はいずれも「ＡＳＧ」（即ち、アナログ設定値）である。
【００２６】
ここで、電圧調整器の整定値に関して、ＩＥＣ ６１８５０では「ＡＴＣＣ」に対して定められている上記のデータオブジェクト毎に一つの値（別言すると、基本とするデフォルトの値）しか設定することができず、複数種類の値を設定することはできない。
【００２７】
本発明では、電圧調整器に係る整定項目に対応する上記のデータオブジェクトに対し、電圧調整において基本として使用する整定値（「デフォルト整定値」と呼ぶ）と、状況の変化などによってデフォルト整定値では対応が難しいことが想定される場合など特別の事情が存在する際に使用する整定値（「臨時整定値」と呼ぶ）とのうちのどちらかが、定められたスケジュールに従って選択的に設定される。
【００２８】
なお、図２，図５に示す例において論理ノード「ＡＴＣＣ」の「（データオブジェクト）」として示されている項目は論理ノード「ＡＴＣＣ」に対して定められ得るデータオブジェクトの全てではなく、本発明を含むシステムとして運用する場合に論理ノード「ＡＴＣＣ」に対して実際に定められるデータオブジェクトは他にもあり得る。
【００２９】
（３）論理ノード「ＦＳＣＨ」及び「ＦＳＣＣ」
本実施形態では、さらに、ＩＥＣ ６１８５０において規定されている、スケジュール及び当該スケジュールにおいて使用される整定値の定義を担う論理ノードである「ＦＳＣＨ」（「スケジュール定義論理ノードＦＳＣＨ」と表記する）と、当該スケジュール定義論理ノードＦＳＣＨの制御を担う論理ノードである「ＦＳＣＣ」（「スケジュール制御論理ノードＦＳＣＣ」と表記する）とが導入される。
【００３０】
論理ノード（本実施形態では、「ＡＴＣＣ」）が保持／利用する項目（言い換えると、設定値の種類，データオブジェクトの種別）のうち値の切り替えの対象である項目毎に一組のスケジュール定義論理ノードＦＳＣＨ及びスケジュール制御論理ノードＦＳＣＣが用意される。
【００３１】
本実施形態では、タップ切り換えの自動制御を担う論理ノード「ＡＴＣＣ」（「タップ切換制御論理ノードＡＴＣＣ」と表記する）が保持／利用する整定値の種別である、順送用／逆送用の「BndCtr」（基準電圧(の設定値)），順送用／逆送用の「BndWid」（不感帯幅(の設定値)），「LDCR」（抵抗分補償(の設定値)），並びに「LDCX」（リアクタンス分補償(の設定値)）が値の切り替えの対象であるとし、これら整定値の種別のそれぞれに対して一組ずつのスケジュール定義論理ノードＦＳＣＨ及びスケジュール制御論理ノードＦＳＣＣが用意され、合計で六組のＦＳＣＨ及びＦＳＣＣが用意される。なお、後述するように、一つの組を構成するスケジュール定義論理ノードＦＳＣＨは複数個用意される。すなわち、或る整定値の種別に対応する一組のスケジュール定義論理ノードＦＳＣＨ及びスケジュール制御論理ノードＦＳＣＣは、複数個のスケジュール定義論理ノードＦＳＣＨと一個のスケジュール制御論理ノードＦＳＣＣとから構成される。
【００３２】
本実施形態における電圧調整器子局は図２に示した論理ノードの全てを実装する必要がある。言い換えると、論理ノード「ＡＴＣＣ」，ＦＳＣＨ，及びＦＳＣＣそれぞれのインスタンスは同一の論理デバイスに収容される必要がある。
【００３３】
なお、「BndCtr」（基準電圧）及び「BndWid」（不感帯幅）については、順送用と逆送用とのそれぞれが用意されるところ、順送用と逆送用とのうちのどちらを利用するかについてはタップ切換制御論理ノードＡＴＣＣが有するデータオブジェクトの値／設定（具体的には例えば、電圧調整器の接続端子のどちらが変電所側であるかを設定するデータなど）に基づいて決定される。
【００３４】
（４）スケジュール定義論理ノードＦＳＣＨ
整定値の種別（尚、順送用と逆送用との別を含む）の各々に対応するスケジュール制御論理ノードＦＳＣＣ（図に示す例では、ＦＳＣＣ１，ＦＳＣＣ２，…，ＦＳＣＣ６）のそれぞれに対し、デフォルト整定値を保持するスケジュール定義論理ノードＦＳＣＨ（「デフォルト整定値を保持するＦＳＣＨ」と表記する）と、臨時整定値を保持するスケジュール定義論理ノードＦＳＣＨ（「臨時整定値を保持するＦＳＣＨ」と表記する）とのそれぞれが用意される。
【００３５】
本実施形態では、ＩＥＣ ６１８５０においてスケジュール定義論理ノードＦＳＣＨに対して定められている、少なくとも以下のデータオブジェクトが利用される。
【００３６】
１）開始時刻（「StrTm」：Start time のことである）
当該のスケジュール定義論理ノードＦＳＣＨの実行開始時刻（言い換えると、適用開始時刻）が定義される。開始時刻の指定では、年，月，日付，曜日のうちの少なくとも一部が考慮される（言い換えると、年，月，日付，曜日のうちの少なくとも一部の種別毎にスケジュール定義論理ノードＦＳＣＨが用意される）ようにしても良く、或いは、年，月，日付，曜日が全く考慮されない（言い換えると、年，月，日付，曜日に関係なく適用されるスケジュール定義論理ノードＦＳＣＨが用意される）ようにしても良い。
【００３７】
２）整定値の個数（「NumEntr」：Number of schedule entries のことである）
当該のスケジュール定義論理ノードＦＳＣＨに保持されている（言い換えると、当該のＦＳＣＨに保存されている）整定値の個数が定義される。図に示す例では、整定値の個数は「６」に設定され、これに対応して６個の整定値ＶａｌＡＳＧ１，ＶａｌＡＳＧ２，…，ＶａｌＡＳＧ６が保持される。
【００３８】
３）整定値の時間間隔（「SchdIntv」：Schedule interval のことである）
当該のスケジュール定義論理ノードＦＳＣＨに保持されている整定値が適用される際の時間間隔が定義される。具体的には例えば、電圧調整に使用する整定値が時間帯毎の１時間単位で算定・特定されてその整定値がスケジュール定義論理ノードＦＳＣＨに保持されている場合には、整定値の時間間隔が１時間に設定される。
【００３９】
整定値の時間間隔は時間単位の種類と数値との組み合わせによって定義されるようにしても良く、具体的には例えば、時間単位が「時間」であると共に数値が「１」であるとして定義されたり、時間単位が「分」であると共に数値が「６０」であるとして定義されたりするようにしても良い。
【００４０】
４）優先度（「SchdPrio」：Priority relation of this schedule のことである）
他のスケジュール定義論理ノードＦＳＣＨに対して当該のスケジュール定義論理ノードＦＳＣＨが選択・適用される優先度が定義される。具体的には、臨時整定値を保持するＦＳＣＨの優先度の方がデフォルト整定値を保持するＦＳＣＨの優先度よりも高く設定される。図に示す例では、数値が大きいほど優先度が高くなるという規則であるとし、臨時整定値を保持するＦＳＣＨ９０１１等の優先度（即ち、SchdPrioの値）が「９０」（但し、「９０」は単に大きい数値として選択されているに過ぎず、「９０」自体に特段の技術的意味は無い）に設定されると共にデフォルト整定値を保持するＦＳＣＨ１１等の優先度が「０」に設定される。
【００４１】
５）整定値（「ValASG」：ASG scheduled values のことである）
整定値が具体的に数値によって定義される。一つのスケジュール定義論理ノードＦＳＣＨのインスタンスには、上記２）によって定義されている個数と同数の整定値が保存される。したがって、図に示す例では、整定値としてＶａｌＡＳＧ１，ＶａｌＡＳＧ２，…，ＶａｌＡＳＧ６に具体的な数値が保存される。
【００４２】
なお、図５に示す例においてスケジュール定義論理ノードＦＳＣＨの「（データオブジェクト）」として示されている項目はスケジュール定義論理ノードＦＳＣＨに対して定められ得るデータオブジェクトの全てではなく、本発明を含むシステムとして運用する場合にスケジュール定義論理ノードＦＳＣＨに対して実際に定められるデータオブジェクトは他にもあり得る。
【００４３】
本発明に係る機器の制御値の切替方法の一例としての本実施形態の電圧調整器の整定値の切替方法の実施に際しては、２４時間・３６５日の全てをカバーするように設定された、デフォルト整定値を保持するＦＳＣＨのインスタンスが一セット用意される。
【００４４】
図に示す例では、デフォルト整定値を保持するＦＳＣＨ１１が、毎日０時に実行開始（言い換えると、適用開始）され、適用される際の時間間隔が１時間であるデフォルト整定値を６個（即ち、６時間分）保持するものとして構成される。
【００４５】
さらに、開始時刻が６時間ずつずれて設定されると共に時間間隔が１時間であるデフォルト整定値を６個保持するスケジュール定義論理ノードＦＳＣＨのインスタンスが三個用意される（具体的には、デフォルト整定値を保持するＦＳＣＨ１２，ＦＳＣＨ１３，及びＦＳＣＨ１４のインスタンスが用意される）。
【００４６】
これら合計四個のＦＳＣＨ１１乃至ＦＳＣＨ１４のインスタンスにより、２４時間分のデフォルト整定値が用意される。
【００４７】
図に示す例では、デフォルト整定値を保持するＦＳＣＨ（即ち、ＦＳＣＨ１１乃至ＦＳＣＨ１４）のインスタンスそれぞれの開始時刻が毎日定時に設定されると共に、年，月，日付，及び曜日は考慮しないように設定されているので、３６５日全日に対してＦＳＣＨ１１乃至ＦＳＣＨ１４は適用される。
【００４８】
なお、データオブジェクトの開始時刻が毎日０時に設定されると共に整定値の時間間隔が１時間であるデフォルト整定値を１２個保持するものとして構成されるＦＳＣＨと開始時刻が毎日１２時に設定されると共に整定値の時間間隔が１時間であるデフォルト整定値を１２個保持するものとして構成されるＦＳＣＨとの二つのＦＳＣＨによってセットが構成されるようにしても良く、或いは、データオブジェクトの開始時刻が毎日０時に設定されると共に整定値の時間間隔が１時間であるデフォルト整定値を２４個保持するものとして構成されるＦＳＣＨによってセットが構成されるようにしても良い。
【００４９】
また、デフォルト整定値／臨時整定値を保持するＦＳＣＨのインスタンスの一セットがカバーする時間間隔（別言すると、期間）は、一日（即ち、２４時間）単位に限定されるものではなく、例えば一週間単位や一箇月単位など他の時間間隔（期間）でも良い。
【００５０】
本発明に係る機器の制御値の切替方法の一例としての本実施形態の電圧調整器の整定値の切替方法の実施に際しては、また、デフォルト整定値を保持するＦＳＣＨのセットと同数のインスタンスから成る、臨時整定値を保持するＦＳＣＨのインスタンスが一セット用意される。
【００５１】
臨時整定値を保持するＦＳＣＨのインスタンスそれぞれの開始時刻は、デフォルト整定値を保持するＦＳＣＨのインスタンスそれぞれの開始時刻に対応するように（言い換えると、一致するように）設定される。
【００５２】
図３に示す例のようにデフォルト整定値を保持する四個のＦＳＣＨ（即ち、ＦＳＣＨ１１乃至ＦＳＣＨ１４）のインスタンスから成るセットが用意されている場合は、例えば、図４に示すように、臨時整定値を保持する四個のＦＳＣＨ（具体的には、ＦＳＣＨ９０１１，ＦＳＣＨ９０１２，ＦＳＣＨ９０１３，及びＦＳＣＨ９０１４）のインスタンスから成るセットが用意される。
【００５３】
デフォルト整定値を保持するＦＳＣＨのインスタンスのそれぞれに対応するように臨時整定値を保持するＦＳＣＨのインスタンスを一セットとして用意した場合に、或る日，期間，曜日等の特定の時間帯のみ臨時整定値を使用して他の時間帯はデフォルト整定値を使用するときは、前記或る日，期間，曜日等の特定の時間帯において使用する臨時整定値を保持するＦＳＣＨのインスタンスの開始時刻の年，月，日付，曜日が臨時整定値を使用する年，月，日付，曜日に合わせて設定されると共に時刻が前記或る特定の時間帯の始まりに合わせて設定され、また、他のＦＳＣＨのインスタンスの開始時刻の年，月，日付が過去の年，月，日付に設定される。
【００５４】
図３，図４に示す例では、２０１７年ＭＭ月ＤＤ日の１８時からの６時間分について臨時整定値を保持するＦＳＣＨ９０１４のインスタンスが保持している臨時整定値（即ち、ＦＳＣＨ９０１４のＶａｌＡＳＧ１乃至ＶａｌＡＳＧ６）が使用され、同日の０時から１８時直前まではデフォルト整定値を保持するＦＳＣＨのインスタンスが保持しているデフォルト整定値（即ち、ＦＳＣＨ１１，ＦＳＣＨ１２，及びＦＳＣＨ１３それぞれのＶａｌＡＳＧ１乃至ＶａｌＡＳＧ６）が使用される。
【００５５】
臨時整定値を保持するＦＳＣＨの整定値の具体的な値が書き換え可能であるように設定されることにより、臨時整定値を保持するＦＳＣＨは値が書き換えられることによって再利用されるようにしても良い。ＩＥＣ ６１８５０では、具体的には、「SetDataValues」サービスによって書き換え可能なデータ属性（即ち、functional constraint = SE）に設定される。
【００５６】
（５）スケジュール制御論理ノードＦＳＣＣ
本実施形態では、ＩＥＣ ６１８５０においてスケジュール制御論理ノードＦＳＣＣに対して定められている、少なくとも以下のデータオブジェクトが利用される。
【００５７】
１）制御対象オブジェクトへの参照（「CtlEnt」：Object reference to the entity のことである）
当該のスケジュール制御論理ノードＦＳＣＣが制御対象とする、タップ切換制御論理ノードＡＴＣＣのデータオブジェクトへの参照（即ち、整定項目の種類）が設定される。つまり、タップ切換制御論理ノードＡＴＣＣのデータオブジェクトのうち、具体的な設定内容がスケジュールによって制御されて切り替えられるデータオブジェクト（整定項目）のうちのいずれかが設定される。
【００５８】
当該のスケジュール制御論理ノードＦＳＣＣが、下記２）で設定される（言い換えると、挙げられる）スケジュール定義論理ノードＦＳＣＨがデータオブジェクトとして保持している整定値を参照し、読み取った整定値を、タップ切換制御論理ノードＡＴＣＣの、ここで設定される種別に対応するデータオブジェクトへと設定する。
【００５９】
２）スケジュール定義の集合（「Schd」：Object reference of schedule n のことである）
上記１）で設定される、タップ切換制御論理ノードＡＴＣＣのデータオブジェクトへの参照に対応するものとして用意されるスケジュール定義論理ノードＦＳＣＨ、すなわち、上記１）で設定されるデータオブジェクトへの参照に対応する整定値をデータオブジェクトとして保持する（言い換えると、スケジュール制御に用いられるデータを有する）すべてのスケジュール定義論理ノードＦＳＣＨが設定される（言い換えると、挙げられる，列挙される）。
【００６０】
ここで設定されるスケジュール定義論理ノードＦＳＣＨが当該のスケジュール制御論理ノードＦＳＣＣによって管理される論理ノードになる。
【００６１】
デフォルト整定値を保持するＦＳＣＨと臨時整定値を保持するＦＳＣＨとの両方が設定される（言い換えると、列挙される）。また、デフォルト整定値を保持するＦＳＣＨとして複数の論理ノードが設定されたり、臨時整定値を保持するＦＳＣＨとして複数の論理ノードが設定されたりする場合がある。
【００６２】
３）現在有効となっている論理ノード（「ActSchdRef」：Indication of which schedule is active as an object reference のことである）
上記２）で設定される（言い換えると、挙げられる，列挙される）スケジュール定義論理ノードＦＳＣＨのうち、現在時刻において参照の対象であるアクティブな論理ノード、言い換えると、現在時刻において適用されるべき整定値をデータオブジェクトとして保持している実行中／実行対象の論理ノードが設定される。
【００６３】
ここで設定されるアクティブな（言い換えると、実行中／実行対象の）論理ノードは、スケジュール制御論理ノードＦＳＣＣが備えるスケジュール制御機能により、時間の経過に伴って、言い換えると、現在時刻に合わせて、選択され変更される。
【００６４】
なお、図５に示す例においてスケジュール制御論理ノードＦＳＣＣの「（データオブジェクト）」として示されている項目はスケジュール制御論理ノードＦＳＣＣに対して定められ得るデータオブジェクトの全てではなく、本発明を含むシステムとして運用する場合にスケジュール制御論理ノードＦＳＣＣに対して実際に定められるデータオブジェクトは他にもあり得る。
【００６５】
（６）整定値の設定方法
デフォルト整定値を保持するＦＳＣＨや臨時整定値を保持するＦＳＣＨそれぞれの整定値ＶａｌＡＳＧ１乃至ＶａｌＡＳＧ６を効率的に設定するために、ＩＥＣ ６１８５０において定められている「DataSet」とそれに対する通信メッセージが用いられるようにしても良い。
【００６６】
具体的には例えば、図６に示すように、各時間断面に対応する整定値は「ValASG」の「setVal」に記載され、また、設定に関する説明が「ValASG」の「d」に記載される。ただし、設定に関する説明は任意の記載項目であり、設定に関する説明がデータオブジェクトとして論理ノードに含まれない構成であっても構わない。
【００６７】
図６に示す例のように「DataSet」とそれに対する通信メッセージが用いられるようにすることにより、複数のＦＳＣＨにおける整定値を一回のメッセージ（即ち、「SetDataSetValues.req」）で設定することが可能になり、整定値の設定を効率的に行うことが可能になる。
【００６８】
（７）実施の手順
上述の内容で用意されたタップ切換制御論理ノードＡＴＣＣのインスタンス，スケジュール定義論理ノードＦＳＣＨのインスタンス，及びスケジュール制御論理ノードＦＳＣＣのインスタンスによって実施される電圧調整器の整定値の切替方法の実施の手順を以下に説明する。
【００６９】
なお、スケジュール制御論理ノードＦＳＣＣ１乃至ＦＳＣＣ６の各々により、各ＦＳＣＣ１〜６それぞれの管理下にある全てのスケジュール定義論理ノードＦＳＣＨのデータオブジェクトの値が把握されているものとする。
【００７０】
図５に示す例では、タップ切換制御論理ノードＡＴＣＣのデータオブジェクトのうち「BndCtr」（基準電圧）が、順送用・基準電圧用として用意されるスケジュール制御論理ノードＦＳＣＣ１を介して、デフォルト整定値を保持するＦＳＣＨ１２がデータオブジェクトとして保持している整定値ＶａｌＡＳＧ１乃至ＶａｌＡＳＧ６に設定される。
【００７１】
図５に示す例では、スケジュール制御論理ノードＦＳＣＣ１の管理下の論理ノードとして、図中に示すデフォルト整定値を保持するＦＳＣＨ１１及びＦＳＣＨ１２に加え、デフォルト整定値を保持するＦＳＣＨ１３及びＦＳＣＨ１４（図３参照）並びに臨時整定値を保持するＦＳＣＨ９０１１乃至ＦＳＣＨ９０１４（図４参照）が用意されている。
【００７２】
つまり、スケジュール制御論理ノードＦＳＣＣ１のデータオブジェクトについて、制御対象オブジェクトへの参照は BndCtr であり、スケジュール定義の集合にデフォルト整定値を保持するＦＳＣＨ１１乃至ＦＳＣＨ１４並びに臨時整定値を保持するＦＳＣＨ９０１１乃至ＦＳＣＨ９０１４が設定される。
【００７３】
スケジュール制御論理ノードＦＳＣＣ１の管理下のデフォルト整定値を保持するＦＳＣＨ１１乃至ＦＳＣＨ１４並びに臨時整定値を保持するＦＳＣＨ９０１１乃至ＦＳＣＨ９０１４の全てについて、データオブジェクトの整定値の個数及び整定値の時間間隔の値は一致させられる（尚、図５に示す例では、それぞれ「６」，「１時間」）。
【００７４】
本実施形態の電圧調整器の整定値の切替方法の実施の手順としては、まず、現在時刻を対象とするスケジュール定義論理ノードＦＳＣＨのインスタンスが選定される（Ｓ１）。
【００７５】
具体的には、値の切り替えの対象になっている整定値の種別毎に用意されるスケジュール制御論理ノードＦＳＣＣ１乃至ＦＳＣＣ６のそれぞれが、各スケジュール定義論理ノードＦＳＣＨ１１等，ＦＳＣＨ９０１１等のデータオブジェクトの開始時刻と当該ＦＳＣＨのインスタンスの適用期間（言い換えると、有効期間）とを確認する。
【００７６】
適用期間（有効期間）は、各スケジュール定義論理ノードＦＳＣＨ１１等，ＦＳＣＨ９０１１等のデータオブジェクトの整定値の個数と整定値の時間間隔との積によって算定・特定される。
【００７７】
続いて、スケジュール制御論理ノードＦＳＣＣ１乃至ＦＳＣＣ６が、スケジュール定義論理ノードＦＳＣＨ１１等，ＦＳＣＨ９０１１等のそれぞれについて、開始時刻から適用期間だけ経過した時間帯（「対象時間帯」と呼ぶ）に現在時刻が入っているか否かを判断する。
【００７８】
そして、対象時間帯に現在時刻が入っているスケジュール定義論理ノードＦＳＣＨが二つ（具体的には、デフォルト整定値を保持するＦＳＣＨ１１等のうちのいずれかと臨時整定値を保持するＦＳＣＨ９０１１等のうちのいずれかとの二つ）存在する場合には、スケジュール制御論理ノードＦＳＣＣ１乃至ＦＳＣＣ６は、優先度が高い方のスケジュール定義論理ノードＦＳＣＨ（即ち、臨時整定値を保持するＦＳＣＨ９０１１等のうちのいずれか）を、Ｓ１の処理の結果としてのスケジュール定義論理ノードＦＳＣＨであるとして選定する。
【００７９】
一方、対象時間帯に現在時刻が入っているスケジュール定義論理ノードＦＳＣＨが一つ（具体的には、デフォルト整定値を保持するＦＳＣＨ１１等のうちのいずれか）である場合には、スケジュール制御論理ノードＦＳＣＣ１乃至ＦＳＣＣ６は、前記スケジュール定義論理ノードＦＳＣＨ（即ち、デフォルト整定値を保持するＦＳＣＨ１１等のうちのいずれか）を、Ｓ１の処理の結果としてのスケジュール定義論理ノードＦＳＣＨであるとして選定する。
【００８０】
図５に示す例では、タップ切換制御論理ノードＡＴＣＣのデータオブジェクトのうちの値の切り替えの対象になっている「BndCtr」（基準電圧）に対して順送用・基準電圧用として用意されるスケジュール制御論理ノードＦＳＣＣ１が、デフォルト整定値を保持するＦＳＣＨ１１乃至ＦＳＣＨ１４並びに臨時整定値を保持するＦＳＣＨ９０１１乃至ＦＳＣＨ９０１４のデータオブジェクトを確認し、Ｓ１の処理の結果としてデフォルト整定値を保持するＦＳＣＨ１２を選定する。
【００８１】
なお、図５に示す例では、現在時刻が０７時１６分であり、そして、デフォルト整定値を保持するＦＳＣＨ１２のデータオブジェクトの開始時刻が６時であると共に適用期間（即ち、整定値の個数＝６と整定値の時間間隔＝１時間との積）が６時間であることから、対象時間帯に現在時刻が入っているスケジュール定義論理ノードＦＳＣＨとしてデフォルト整定値を保持するＦＳＣＨ１２が選定される。
【００８２】
次に、Ｓ１の処理によって選定されたスケジュール定義論理ノードＦＳＣＨのインスタンスを次の切替時刻が到来するまで参照することが設定される（Ｓ２）。
【００８３】
具体的には、スケジュール制御論理ノードＦＳＣＣ１乃至ＦＳＣＣ６が、Ｓ１の処理において選定されたデフォルト整定値を保持するＦＳＣＨ１１等（のうちのいずれか）のインスタンス若しくは臨時整定値を保持するＦＳＣＨ９０１１等（のうちのいずれか）のインスタンスを、次の切替時刻が到来するまで参照すべきインスタンス（「参照ＦＳＣＨインスタンス」と呼ぶ）に決定し、データオブジェクトの現在有効となっている論理ノードに前記デフォルト整定値／臨時整定値を保持するＦＳＣＨを設定する。
【００８４】
図５に示す例では、スケジュール制御論理ノードＦＳＣＣ１が、Ｓ１の処理において選定されたデフォルト整定値を保持するＦＳＣＨ１２のインスタンスを参照ＦＳＣＨインスタンスに決定し、データオブジェクトの現在有効となっている論理ノードにＦＳＣＨ１２を設定する。
【００８５】
次に、Ｓ２の処理によって設定された参照ＦＳＣＨインスタンスから現在時刻に対応する整定値が取得されてデータオブジェクトに設定される（Ｓ３）。
【００８６】
具体的には、スケジュール制御論理ノードＦＳＣＣ１乃至ＦＳＣＣ６が、Ｓ２の処理において設定された参照ＦＳＣＨインスタンスがデータオブジェクトとして保持している整定値ＶａｌＡＳＧ１乃至ＶａｌＡＳＧ６のうち、当該参照ＦＳＣＨインスタンスのデータオブジェクトの開始時刻及び整定値の時間間隔に基づいて特定される、現在時刻に対応する（言い換えると、現在時刻において適用すべき）整定値ＶａｌＡＳＧ１乃至ＶａｌＡＳＧ６（のうちのいずれか）を取得する。
【００８７】
続いて、スケジュール制御論理ノードＦＳＣＣ１乃至ＦＳＣＣ６は、上記において取得した整定値ＶａｌＡＳＧ１乃至ＶａｌＡＳＧ６（のうちのいずれか）を、タップ切換制御論理ノードＡＴＣＣのデータオブジェクト（即ち、整定項目）のうち当該のスケジュール制御論理ノードＦＳＣＣ１乃至ＦＳＣＣ６が管轄しているデータオブジェクト（整定項目）の値に設定する。
【００８８】
そして、タップ切換制御論理ノードＡＴＣＣは、設定された整定値に基づいて、電圧調整器の制御を行う。
【００８９】
図５に示す例では、スケジュール制御論理ノードＦＳＣＣ１が、Ｓ２の処理において設定された参照ＦＳＣＨインスタンスとしてのデフォルト整定値を保持するＦＳＣＨ１２がデータオブジェクトとして保持している整定値ＶａｌＡＳＧ２を取得し、当該整定値ＶａｌＡＳＧ２の値を、タップ切換制御論理ノードＡＴＣＣのデータオブジェクトの BndCtr に設定する。
【００９０】
なお、図５に示す例では、現在時刻が０７時１６分であり、そして、デフォルト整定値を保持するＦＳＣＨ１２のデータオブジェクトの開始時刻が６時であると共に整定値の時間間隔が１時間であることから、現在時刻に対応する整定値はＶａｌＡＳＧ２であることが特定される。
【００９１】
ここで、スケジュール制御論理ノードＦＳＣＣが制御対象とする論理ノード（ここでは具体的には、タップ切換制御論理ノードＡＴＣＣ）が有するデータオブジェクトに対しては、その値を通信（具体的には例えば、ＩＥＣ ６１８５０において規定されている「SetDataValues」など）を用いて直接書き換えることが可能である。この場合には、スケジュール制御論理ノードＦＳＣＣが設定した値は上書きされる。この仕組みを通じ、スケジューリングされた値とはさらに別の値を随時設定することも可能である。
【００９２】
次に、整定値の次の切替時刻が特定される（Ｓ４）。
【００９３】
具体的には、スケジュール制御論理ノードＦＳＣＣ１乃至ＦＳＣＣ６が、Ｓ２の処理において設定された参照ＦＳＣＨインスタンスのデータオブジェクトの整定値の時間間隔に基づいて（また、現在時刻やデータオブジェクトの開始時刻を必要に応じて参照して）、Ｓ３の処理においてタップ切換制御論理ノードＡＴＣＣのデータオブジェクト（整定項目）の値に設定した整定値についての次の切替時刻を特定する。
【００９４】
図５に示す例では、スケジュール制御論理ノードＦＳＣＣ１が、Ｓ２の処理において設定された参照ＦＳＣＨインスタンスとしてのデフォルト整定値を保持するＦＳＣＨ１２のデータオブジェクトの整定値の時間間隔が１時間であることに基づいて（尚、現在時刻は０７時１６分であり、また、デフォルト整定値を保持するＦＳＣＨ１２のデータオブジェクトの開始時刻は６時である）、Ｓ３の処理においてタップ切換制御論理ノードＡＴＣＣのデータオブジェクトの BndCtr の値に設定した整定値ＶａｌＡＳＧ２の切替時刻は８時であることを特定する。
【００９５】
その上で、Ｓ４の処理で特定された次の切替時刻が到来するまでの間は、Ｓ３の処理において設定された整定値（データオブジェクト）が用いられる（Ｓ５）。
【００９６】
そして、Ｓ４の処理で特定された次の切替時刻が到来すると、現在時刻を対象とし且つ優先度が高いスケジュール定義論理ノードＦＳＣＨのインスタンスが存在するか否かが判断される（Ｓ６）。
【００９７】
具体的には、整定値の切替時刻が到来したスケジュール定義論理ノードＦＳＣＨ（具体的には、ＦＳＣＨ１１等のうちのいずれか、若しくは、ＦＳＣＨ９０１１等のうちのいずれか）のインスタンス（即ち、参照ＦＳＣＨインスタンス）を管理しているスケジュール制御論理ノードＦＳＣＣ１乃至ＦＳＣＣ６が、各スケジュール定義論理ノードＦＳＣＨ１１等，ＦＳＣＨ９０１１等のデータオブジェクトを確認し、スケジュール定義論理ノードＦＳＣＨ１１等，ＦＳＣＨ９０１１等のそれぞれについて対象時間帯に現在時刻が入っており且つ優先度が参照ＦＳＣＨインスタンスの優先度よりも高いか否かを判断する。
【００９８】
対象時間帯に現在時刻が入っているか否かの判断は、上述のＳ１の処理における考え方と同様の考え方に従って行われる。
【００９９】
なお、このＳ６の処理は、整定値の切替時刻が到来した参照ＦＳＣＨインスタンスの優先度が低い場合（即ち、参照ＦＳＣＨインスタンスがデフォルト整定値を保持するＦＳＣＨ１１等のインスタンスである場合）のみ行われるようにしても良い。そして、整定値の切替時刻が到来した参照ＦＳＣＨインスタンスが臨時整定値を保持するＦＳＣＨ９０１１等のインスタンスである（即ち、優先度が高い）場合は、Ｓ６の処理を行うこと無く、Ｓ８の処理へと移行する。
【０１００】
Ｓ６の処理としての判断の結果、対象時間帯に現在時刻が入っており且つ優先度が参照ＦＳＣＨインスタンスの優先度よりも高いスケジュール定義論理ノードＦＳＣＨ（即ち、臨時整定値を保持するＦＳＣＨ９０１１等）のインスタンスが存在する場合（Ｓ６：Ｙｅｓ）は、Ｓ７の処理へと移行する。
【０１０１】
そして、Ｓ６の処理において上記条件を満たす臨時整定値を保持するＦＳＣＨ９０１１等（のうちのいずれか）のインスタンスの存在を確認したスケジュール制御論理ノードＦＳＣＣ１乃至ＦＳＣＣ６が、前記臨時整定値を保持するＦＳＣＨ９０１１等（のうちのいずれか）のインスタンスを、次の切替時刻が到来するまで参照すべきインスタンス（即ち、（新たな）参照ＦＳＣＨインスタンス）に決定し、データオブジェクトの現在有効となっている論理ノードに前記臨時整定値を保持するＦＳＣＨ９０１１等（のうちのいずれか）を設定する（Ｓ７）。その後、Ｓ３の処理へと移行する。
【０１０２】
一方、Ｓ６の処理としての判断の結果、対象時間帯に現在時刻が入っており且つ優先度が参照ＦＳＣＨインスタンスの優先度よりも高いスケジュール定義論理ノードＦＳＣＨのインスタンスが存在しない場合（Ｓ６：Ｎｏ）は、Ｓ８の処理へと移行する。
【０１０３】
そして、到来した切替時刻の後（別言すると、現在時刻の後）の時間帯が参照ＦＳＣＨインスタンスの対象時間帯に入っているか否かが判断される（Ｓ８）。
【０１０４】
そして、到来した切替時刻の後（現在時刻の後）の時間帯が参照ＦＳＣＨインスタンスの対象時間帯に入っている場合（Ｓ８：Ｙｅｓ）は、Ｓ３の処理へと移行する。
【０１０５】
一方、到来した切替時刻の後（現在時刻の後）の時間帯が参照ＦＳＣＨインスタンスの対象時間帯に入っていない場合（Ｓ８：Ｎｏ）は、現在時刻を対象とするスケジュール定義論理ノードＦＳＣＨのインスタンスが新たに選定されると共に当該新たに選定されたスケジュール定義論理ノードＦＳＣＨのインスタンスが参照ＦＳＣＨインスタンスに設定される（Ｓ９）。
【０１０６】
具体的には、整定値の切替時刻が到来した参照ＦＳＣＨインスタンスを管理しているスケジュール制御論理ノードＦＳＣＣ１乃至ＦＳＣＣ６が、各スケジュール定義論理ノードＦＳＣＨ１１等，ＦＳＣＨ９０１１等のデータオブジェクトを確認し、スケジュール定義論理ノードＦＳＣＨ１１等，ＦＳＣＨ９０１１等のそれぞれについて対象時間帯に現在時刻が入っているか否かを判断する。
【０１０７】
対象時間帯に現在時刻が入っているか否かの判断は、上述のＳ１の処理における考え方と同様の考え方に従って行われる。
【０１０８】
そして、対象時間帯に現在時刻が入っているスケジュール定義論理ノードＦＳＣＨが二つ（具体的には、デフォルト整定値を保持するＦＳＣＨ１１等のうちのいずれかと臨時整定値を保持するＦＳＣＨ９０１１等のうちのいずれかとの二つ）存在する場合には、スケジュール制御論理ノードＦＳＣＣ１乃至ＦＳＣＣ６は、優先度が高い方のスケジュール定義論理ノードＦＳＣＨ（即ち、臨時整定値を保持するＦＳＣＨ９０１１等のうちのいずれか）をＳ９の処理の対象として選定する（Ｓ９）。
【０１０９】
一方、対象時間帯に現在時刻が入っているスケジュール定義論理ノードＦＳＣＨが一つ（具体的には、デフォルト整定値を保持するＦＳＣＨ１１等のうちのいずれか）である場合には、スケジュール制御論理ノードＦＳＣＣ１乃至ＦＳＣＣ６は、前記スケジュール定義論理ノードＦＳＣＨ（即ち、デフォルト整定値を保持するＦＳＣＨ１１等のうちのいずれか）をＳ９の処理の対象として選定する（Ｓ９）。
【０１１０】
そして、スケジュール制御論理ノードＦＳＣＣ１乃至ＦＳＣＣ６は、上記において選定したデフォルト整定値を保持するＦＳＣＨ１１等（のうちのいずれか）のインスタンス若しくは臨時整定値を保持するＦＳＣＨ９０１１等（のうちのいずれか）のインスタンスを、次の切替時刻が到来するまで参照すべきインスタンス（即ち、（新たな）参照ＦＳＣＨインスタンス）に決定し、データオブジェクトの現在有効となっている論理ノードに前記デフォルト整定値／臨時整定値を保持するＦＳＣＨを設定する（Ｓ９）。
【０１１１】
なお、Ｓ９の処理では、各スケジュール定義論理ノードＦＳＣＨ１１等，ＦＳＣＨ９０１１等のデータオブジェクトの開始時刻と優先度とが確認され、到来した切替時刻と開始時刻とが一致しているスケジュール定義論理ノードＦＳＣＨ１１等，ＦＳＣＨ９０１１等が選定されると共に優先度が対比されるようにしても良い。
【０１１２】
以上のように構成された機器の制御値の切替方法の一例としての電圧調整器の整定値の切替方法によれば、電圧調整器の整定項目（別言すると、データオブジェクトである BndCtr，BndWid，LDCR，LDCX）毎に所定のスケジュールや状況の変化に合わせて整定値が切り替えられるように制御することができる。このため、電圧調整器を柔軟にそして適切に運用することが可能になり、延いては電圧調整器の運用の信頼性の向上が可能になる。
【０１１３】
なお、上述の実施形態は本発明を実施する際の好適な形態の一例ではあるものの本発明の実施の形態が上述のものに限定されるものではなく、本発明の要旨を逸脱しない範囲において本発明は種々変形実施可能である。
【０１１４】
例えば、上述の実施形態では本発明が電圧調整器の整定値の設定処理を含むシステムへと適用される場合を例に挙げて説明したが、本発明の適用対象は電圧調整器の整定値の設定に限定されるものではなく、動作を制御するために所定の設定値・制御値が利用される種々の機器の前記設定値の切り替えに本発明は適用され得る。本発明の適用対象には、具体的には例えば、変電所構内に設置されている負荷時タップ切換器が含まれ、また、無効電力の供給源である電力用コンデンサ／並列コンデンサ，分路リアクトル，静止型無効電力補償装置が含まれる。
【０１１５】
また、上述の実施形態では制御論理ノード（即ち、スケジューリングの対象の論理ノード）がＩＥＣ ６１８５０において規定されている「ＡＴＣＣ」であるようにしているが、本発明における制御論理ノードは、機器の制御項目に対応するデータオブジェクトを保持する論理ノードであれば、「ＡＴＣＣ」に限定されるものではなく、他の論理ノードであっても構わない。なお、変電所構内に設置されている負荷時タップ切換器の制御に本発明が適用される場合には、上述の実施形態と同様に、（スケジューリングの対象の）論理ノードとして「ＡＴＣＣ」が用いられ得る。一方、例えば、無効電力の供給源に該当する機器に本発明が適用される場合には、（スケジューリングの対象の）論理ノードとして無効電力制御用の「ＡＲＣＯ」が用いられ得る。
【０１１６】
また、上述の実施形態では整定値の切り替えの対象になっているデータオブジェクトがＩＥＣ ６１８５０において規定されている BndCtr，BndWid，LDCR，LDCX であるようにしているが、本発明におけるデータオブジェクトは、機器の制御に関連するデータオブジェクトであれば、BndCtr，BndWid，LDCR，LDCX に限定されるものではなく、他のデータオブジェクトであっても構わない。
【０１１７】
また、上述の実施形態ではスケジュール定義論理ノードＦＳＣＨのそれぞれに対して設定される優先度が「０」及び「９０」のみであるようにしているが、スケジュール定義論理ノードＦＳＣＨに対して設定される優先度は、二種類（言い換えると、二段階）に限定されるものではなく、三種類以上（言い換えると、三段階以上）の優先度が設定されるようにしても良い。例えば、一定周期で現れる指定日時のみに適用されるデフォルト整定値が存在する場合には、前記一定周期で現れる指定日時以外に適用されるデフォルト整定値を保持するＦＳＣＨのインスタンスに加え、前記一定周期で現れる指定日時のみに適用されるデフォルト整定値を保持するＦＳＣＨのインスタンスが用意されるようにしても良い。
【０１１８】
具体的には例えば、毎週日曜日のみに適用されるデフォルト整定値を有効にする場合には、毎週日曜日を除く曜日に適用されるデフォルト整定値を保持するＦＳＣＨのインスタンスとして図３に示す例のように優先度（即ち、SchdPrioの値）が「０」に設定されたセットの他に、毎週日曜日に適用されるデフォルト整定値を保持するＦＳＣＨのインスタンスとして図７に示す例のように優先度が「１」（尚、毎週日曜日を除く曜日に適用されるデフォルト整定値を保持するＦＳＣＨのインスタンスの優先度よりも大きく且つ臨時整定値を保持するＦＳＣＨのインスタンスの優先度よりも小さい値であればいくつでも良い）に設定されたセット（具体的には、ＦＳＣＨ１１１乃至ＦＳＣＨ１１４のインスタンスのセット）が用意されるようにしても良い。
【０１１９】
また、上述の実施形態では或るデフォルト整定値を保持するＦＳＣＨ（例えば、ＦＳＣＨ１１）のインスタンスのＶａｌＡＳＧ１，ＶａｌＡＳＧ２，…，ＶａｌＡＳＧ６にデフォルト整定値として割り当てられる具体的な数値の組み合わせは一つのみであるようにしているが、或るデフォルト整定値を保持するＦＳＣＨに割り当てられるデフォルト整定値の組み合わせが複数用意されるようにしても良い。この場合には、ＩＥＣ ６１８５０において規定されているモデルである「ＳＧＣＢ」（Setting Group Control Block のこと）が利用される。なお、「ＳＧＣＢ」が利用される場合は、デフォルト整定値を保持するＦＳＣＨのＶａｌＡＳＧは「Setting Group（SG）」にて扱える編集可能なデータ属性（具体的には、functional constraint = SE）に設定／定義される。
【０１２０】
具体的には例えば、図８に示すように、デフォルト整定値を保持するＦＳＣＨ１１乃至ＦＳＣＨ１４それぞれのＶａｌＡＳＧ１乃至ＶａｌＡＳＧ６の値の組み合わせが「Setting Group」として三組（具体的には、ＳＧ＃１，ＳＧ＃２，ＳＧ＃３；但し、ＳＧは「Setting Group」）用意され、状況に応じていずれか一つの組み合わせが選択され、そして、選択された組み合わせの値（図８に示す例では、ＳＧ＃３）が対応するＦＳＣＨ１１乃至ＦＳＣＨ１４のうちのいずれかのＶａｌＡＳＧ１乃至ＶａｌＡＳＧ６に割り当てられるようにしても良い。なお、「ＳＧＣＢ」が利用される場合においても、「ＳＧＣＢ」以外の方法（例えば、ＩＥＣ ６１８５０において規定されている「SetDataValues」）が用いられてＶａｌＡＳＧの値が直接書き換えられるようにしても良い。
【０１２１】
或るデフォルト整定値を保持するＦＳＣＨに割り当てられるデフォルト整定値の組み合わせが複数組用意されるようにすることにより、例えば季節（具体的には例えば、夏用，冬用，及び中間期（即ち、春秋用））に応じて異なるデフォルト整定値が用いられることを容易・効率的に行うことが可能になる。なお、整定値を定期的（言い換えると、一定期間毎）に変更する場合にはデフォルト整定値の組み合わせが複数組用意され、例えば特殊な事情が存在する或る特定の一日に整定値を特別に対応させるためには臨時整定値が使用されるようにすることが考えられる。
【符号の説明】
【０１２２】
ＡＴＣＣ  タップ切換制御論理ノード
ＦＳＣＨ  スケジュール定義論理ノード
ＦＳＣＣ  スケジュール制御論理ノード
【図１】
2019103301.tif 000003
【図２】
2019103301.tif 000004
【図３】
2019103301.tif 000005
【図４】
2019103301.tif 000006
【図５】
2019103301.tif 000007
【図６】
2019103301.tif 000008
【図７】
2019103301.tif 000009
【図８】
2019103301.tif 000010